(57)【特許請求の範囲】
【請求項１】
レンズ装置は、光学系を保持するレンズ鏡筒と、該レンズ鏡筒を支持する支持手段と、を有し、
前記支持手段は、該レンズ装置の本体に、光路外に設けられた支持枢軸を中心に回動可能に支持され、
前記レンズ鏡筒は、前記支持手段の前記支持枢軸とは異なる位置で、該レンズ鏡筒に設けられたフランジ上の鏡筒枢軸を中心に回動可能に保持され、
前記支持手段は、前記支持枢軸回りの回転方向における停止位置を画定する手段を有し、該停止位置を画定する手段は、前記停止位置を、前記支持枢軸回りの回転方向において調整可能であり、
前記支持手段は、該レンズ装置の本体に設けられた開口部から挿入し該レンズ鏡筒を前記鏡筒枢軸を中心として該支持手段に対し回動させるための工具を、着脱自在に取付けるための工具取付け部を備え、前記フランジは該工具と噛合う鏡筒噛合い部を備える、ことにより２方向における前記光学系の前記光軸の偏心調整を可能とする、
ことを特徴とするレンズ装置。
【請求項２】
前記工具を前記工具取付け部と前記鏡筒噛合い部に同時に嵌め込み、該工具取付け部を軸に前記工具を操作することにより、前記レンズ鏡筒は前記鏡筒枢軸を軸として回動することを特徴とする請求項１に記載のレンズ装置。
【請求項３】
前記レンズ装置は複数の光学系と、光学系を保持する複数のレンズ鏡筒を含み、
前記支持手段が前記支持枢軸を中心に回動することにより、該複数の光学系のいずれかが光路外から光路上の所定位置へ移動する光学系入れ替え機構を構成し、
前記複数の光学系を保持する前記レンズ鏡筒のそれぞれが、鏡筒枢軸を有することを特徴とする請求項１又は２に記載のレンズ装置。
【請求項４】
前記支持手段には、前記レンズ鏡筒が取り付けられる鏡筒取付け部と前記工具取付け部との対が、支持枢軸を中心とした回転対称に、少なくとも搭載する光学系の数だけ設けられることを特徴とする請求項３に記載のレンズ装置。
【請求項５】
前記支持手段の前記停止位置の変更は、該支持手段を駆動するモーターと該支持手段の角度位置を読み取る角度検出器と、該角度検出器の出力値を元に該モーターの駆動と停止を制御する制御手段により行なうことを特徴とする請求項１乃至４のいずれか１項に記載のレンズ装置。
【発明の詳細な説明】
【技術分野】
【０００１】
本発明は、鏡筒を光軸から退避することなく像を確認しながら鏡筒の偏心調整を可能とするレンズ装置に関する。
【背景技術】
【０００２】
特許文献１の図２に代表される光学系入れ替え機構上のレンズの偏心調整は、一般に、光学系入れ替え機構を動作させて、鏡筒を光軸から退避させた状態で行なわれる。
【０００３】
また、特許文献２には、偏心調整を行なう鏡筒から伸びるスリットをレンズ外部まで突き出し、前記スリットに工具を固定した後、レンズ装置外部から、前記工具を押し引きすることで、鏡筒の偏心調整を像の確認をしながら行なう方法が提案されている。
【先行技術文献】
【特許文献】
【０００４】
【特許文献１】特開２００１−２４２３７０号公報
【特許文献２】特許３２０６８４０号公報
【発明の概要】
【発明が解決しようとする課題】
【０００５】
しかしながら、鏡筒を光軸から退避させた状態で行なう偏心調整では、調整中に像の状態を確認することができないため、鏡筒を動かす方向と量は、作業者の経験と勘に頼ることが多く、作業者の熟練を要する。
また、調整が不良の場合は、同じ作業を何度も繰り返す必要があり、調整作業の時間がばらつきやすいという問題がある。
【０００６】
特許文献２に記載の構造では、レンズ外部までスリットを伸ばすため、複数の同じ構造の鏡筒を光学系入れ替え機構に搭載すると、光学系入れ替え機構が大型化する。
【０００７】
また、工具を押し引きして偏心調整を行なうため、工具を操作する力と鏡筒を動かす力が同じになる。鏡筒を固定するネジにはばねワッシャが構成されるとの記述があり、鏡筒を動かすためには、ばねワッシャの押し付け力よりも強い力で工具を操作する必要があるため、微小量の調整が難しくなる恐れがある。
【０００８】
そこで、本発明の例示的な目的は、構造を大型化することなく、像を確認しながら鏡筒の偏心調整を行なうことを可能にしたレンズ装置を提供することにある。また、そのような鏡筒の調整機能を有する光学系入れ替え機構を持つレンズ装置に関する。
【課題を解決するための手段】
【０００９】
上記目的を達成するために、本発明のレンズ装置は、光学系を保持するレンズ鏡筒と、該レンズ鏡筒を支持する支持手段と、を有し、前記支持手段は、該レンズ装置の本体に、光路外に設けられた支持枢軸を軸に回動可能に支持され、前記レンズ鏡筒は、前記支持手段の前記支持枢軸とは異なる位置に、該レンズ鏡筒と一体的に設けられたフランジ上の鏡筒枢軸を軸に回動可能に保持され、前記支持手段には前記レンズ鏡筒を前記鏡筒枢軸を中心として該支持手段に対し回動させるための工具を着脱自在に取付けるための工具取付け部が設けられ、前記フランジには前記工具を噛合わせるための鏡筒噛合い部が設けられていることを特徴とする。
【００１０】
本発明の更なる目的又はその他の特徴は、以下、添付の図面を参照して説明される好ましい実施例等によって明らかにされるであろう。
【発明の効果】
【００１１】
本発明によれば、レンズ装置の光学系入れ替え機構の構造を大型化することなく、像を確認しながら鏡筒の偏心調整を行なうことを可能にするという効果が得られる。
【図面の簡単な説明】
【００１２】
【図１】本発明のレンズ装置の代表的な構成
【図２】本発明の第１の実施例の光学系入れ替え機構の構成
【図３】本発明の第１の実施例の光学系に係る構成
【図４】本発明の第１の実施例のレンズ装置の外観
【図５】図４の矢印Ａの方向からレンズ装置を見た図
【図６】本発明の第１の実施例のレンズ偏心調整の様子
【図７】本発明の第２の実施例のレンズ装置の外観
【図８】本発明の第２の実施例の光学系入れ替え機構の構成
【図９】本発明の第２の実施例の光学系に係る構成
【図１０】本発明の第２の実施例のレンズ偏心調整の様子
【図１１】本発明の第２の実施例の電動調整の構成
【発明を実施するための形態】
【００１３】
以下に、本発明の実施の形態を添付の図面に基づいて詳細に説明する。
【実施例１】
【００１４】
図１に本発明のレンズ装置の代表的な構成を示す。
レンズ装置は第１のレンズ群１とレンズ群２ａ・２ｂからなる移動レンズ群２と第３のレンズ群３と光学系４とからなる。光学系４は、レンズ鏡筒７に保持され、光学系入れ替え機構５の回転板（支持手段）６に、レンズ鏡筒７を介して搭載される。
【００１５】
光学系入れ替え機構には光学系が複数搭載されており、回転板６は入れ替え軸（支持枢軸）Ｐを軸に回動可能に支持され、回転板６が入れ替え軸を軸として回動することにより、光路外にあるレンズ群を光軸Ｏの光路上の所定位置に移動し、光路上のレンズ群（光学系）と入れ替える。この光学系入れ替え機構により、例えば、焦点距離の異なる複数の光学系４を入れ替える場合には、変倍光学系を構成することができる。
【００１６】
図２は本発明の第１の実施例の光学系入れ替え機構の構成を、図３は本発明の第１の実施例の光学系に係る構成を示す。
【００１７】
本実施例で例示する光学系入れ替え機構は、光軸Ｏ上に３つの光学系４ａ・４ｂ・４ｃを出し入れする。回転板６の鏡筒取付け面６ａには工具穴（工具取付け部）６ｂとネジ穴６ｃと鏡筒枢軸８が、少なくとも光学系と同じ数だけ入れ替え軸Ｐを中心に回転対称に設けられる。
【００１８】
鏡筒７には鏡筒取付け面６ａに略平行なフランジ面７ａを有するフランジが一体的に設けられている。フランジ面７ａ上には、鏡筒枢軸８に略嵌合する鏡筒回転穴７ｂと長穴７ｃと鏡筒噛合い部７ｄが設けられる。
この時、光学系４ａは鏡筒回転穴７ｂと長穴７ｃ・鏡筒噛合い部７ｄの間に構成される。
【００１９】
鏡筒７は軸固定ネジ９と鏡筒固定ネジ１０を締め付けることで回転板６に固定される。
【００２０】
ストッパーばね１１は、回転板６の外周部に取付けられるストッパーコマ１２の溝部１２ａに落ち込むことにより、回転板６の入れ替え軸Ｐまわりの回転を止める。これにより、回転板６の回転方向の停止位置を画定する。
【００２１】
光学系４ａ・４ｂ・４ｃにはそれぞれ同様の部品が構成されるが、鏡筒７のレンズ取付け部のみ、それぞれの光学系の構成によって異なることは言うまでも無い。
【００２２】
図４は本実施例のレンズ装置の外観を示す。
光学系入れ替え機構５の外周部には調整穴５ａ・５ｂ・５ｃが開けられている。
調整穴５ａは、レンズ装置（光学系入れ替え機構）の本体の側面であって、光軸Ｏ上にある光学系４ａの側面に開いており、調整穴（開口部）５ａからは、工具穴６ｂと鏡筒噛合い部７ｄが見える。
【００２３】
図５は図４の矢印Ａの方向からレンズ装置を見た図を示す。
調整穴５ｂからは、鏡筒固定ネジ１０とストッパーコマ１２とストッパー固定ネジ１３が見える。調整穴５ｃからは軸固定ネジ９が見える。
【００２４】
ただし、光学系４ａが光軸Ｏに入っている場合、調整穴５ｂから見えているストッパーコマ１２とストッパー固定ネジ１３は光学系４ａに対するものであり、調整穴５ｂから見えている鏡筒固定ネジ１０は光学系４ｂのものであり、同様に調整穴５ｃから見えている軸固定ネジ９も光学系４ｂのものである。
【００２５】
光学系４ａの固定を行なう場合は、回転板６を回転させて、調整穴５ｂ・５ｃから光学系４ａの軸固定ネジ９と鏡筒固定ネジ１０が見える状態にして固定を行なう。
【００２６】
図６に本実施例のレンズ偏心調整の様子を示す。
光軸Ｏに偏心調整を行なう光学系４ａを入れた状態で、調整工具１４を調整穴５ａから挿入する。
【００２７】
調整工具１４の工具支点１４ａは工具穴６ｂと、工具噛合い部１４ｂは鏡筒噛合い部７ｄと同時に着脱自在に嵌めることができる。
【００２８】
軸固定ネジ９と鏡筒固定ネジ１０を緩めて、工具１４を工具支点１４ａを軸として矢印Ｘの方向に回転操作すると、光学系４ａは鏡筒枢軸８を中心に矢印ｘの方向に動く。
【００２９】
さらに、ストッパーばね１１がストッパーコマ１２の溝部１２ａに落ち込んだ状態で、ストッパー固定ネジ１３を緩めると、回転板６をストッパーコマ１２の長穴１２ｂの間で矢印Ｙの方向に動かすことができる。
【００３０】
矢印Ｙの方向に回転板６を動かすことにより、光学系４ａの矢印ｙ方向の偏心調整を行なう。
像を確認しながら矢印Ｘと矢印Ｙの方向に操作して、光学規格に適合する像が得られたところで光学系４ａの偏心調整は終了する。
【００３１】
ストッパー固定ネジ１３を締め付けた後に、回転板６を回転させ、調整穴５ｂと５ｃから光学系４ａの軸固定ネジ９と鏡筒固定ネジ１０が見える状態にして、光学系４ａの固定を行なう。
【００３２】
同様の偏心調整と固定作業を光学系４ｂ・４ｃに対しても行なって光学系入れ替え機構の偏心調整作業は終了する。
【００３３】
この時、鏡筒枢軸８の中心から鏡筒噛合い部７ｄとの距離を、工具支点１４ａの中心から鏡筒噛合い部７ｄとの距離より大きく取り、工具１４のハンドルを十分長くすることにより、矢印ｘ方向の調整を小さな力で精密に行なうことができる。
【実施例２】
【００３４】
図７は本発明の第２の実施例のレンズ装置の外観を示す。
【００３５】
レンズ装置の光学系入れ替え機構１５の外周部には調整穴１５ａ・１５ｂが開けられている。さらに、光学系入れ替え機構１５には、モーター１６と回転位置検出器１７が取付けられ、記憶手段２２は回転検出器１７の出力値を記憶し、回転検出器の１７の出力値を元にモーターコントローラー（制御手段）２３はモーター１６の駆動と停止の制御を行なう。回転位置検出器１７として角度検出器を用いることができる。その場合には、回転板の角度位置が出力として用いられる。
【００３６】
図８は本実施例の光学系入れ替え機構の構成を、図９は本実施例の光学系に係る構成を示す。
【００３７】
光学系入れ替え機構は、光軸Ｏ上に３つの光学系４ａ・４ｂ・４ｃを出し入れする。回転板１８の鏡筒取付け面１８ａには工具穴１８ｂとネジ穴１８ｃと鏡筒枢軸８が、少なくとも光学系と同じ数だけ入れ替え軸Ｐを中心に回転対称に設けられる。
【００３８】
鏡筒１９には鏡筒取付け面１８ａに略平行なフランジ面１９ａを有するフランジが一体的に設けられている。フランジ面１９ａ上には、鏡筒枢軸８に略嵌合する鏡筒回転穴１９ｂと長穴１９ｃと鏡筒噛合いギア１９ｄが設けられる。鏡筒噛合いギア１９ｄは鏡筒回転穴１９ｂと同心に形成される。
この時、光学系４ａは鏡筒回転穴１９ｂと長穴１９ｃ・鏡筒噛合いギア１９ｄの間に構成される。
【００３９】
鏡筒１９は軸固定ネジ９と鏡筒固定ネジ１０を締め付けることで回転板１８に固定される。
【００４０】
モーターギア１６ａは、回転板１８の外周部に形成される回転板ギア１８ｄと噛合い、回転板１８を入れ替え軸Ｐまわりに回転させる。
【００４１】
回転位置検出ギア１７ａは回転板１８の入れ替え軸Ｐまわりの回転位置（角度位置）を検出する。
【００４２】
光学系４ａ・４ｂ・４ｃにはそれぞれ同様の部品が構成されるが、鏡筒１９のレンズ取付け部のみ、それぞれの光学系の構成によって異なることは言うまでも無い。
【００４３】
図１０に本実施例のレンズ偏心調整の様子を示す。
光軸Ｏに偏心調整を行なう光学系４ａを入れた状態で、調整工具２０を調整穴１５ａから挿入する。
【００４４】
調整工具２０の工具支点２０ａは工具穴１８ｂと、工具ギア２０ｂは鏡筒噛合いギア１９ｄと同時に嵌る。
【００４５】
軸固定ネジ９と鏡筒固定ネジ１０を緩めて工具２０を矢印Ｘの方向に操作すると、光学系４ａは鏡筒枢軸８を中心に矢印ｘの方向に動く。
【００４６】
さらに、モーターコントローラー２３からの信号でモーター１６を矢印Ｙの方向に回動させると、光学系４ａは入れ替え軸Ｐを中心に矢印ｙの方向に動く。
【００４７】
像を確認しながら矢印Ｘと矢印Ｙの方向に操作して、光学規格に適合する像が得られたところで回転位置検出器１７の出力値を記憶手段２２で記憶し、光学系４ａの偏心調整は終了する。
【００４８】
回転板１８を回転させ、調整穴１５ｂから光学系４ａの軸固定ネジ９が見える状態にして固定し、さらに回転板１８を回転させて調整穴１５ｂから光学系４ａの鏡筒固定ネジ１０が見える状態にして固定を行なう。
【００４９】
同様の偏心調整と固定作業を光学系４ｂ・４ｃに対しても行なって光学系入れ替え機構の偏心調整作業は終了する。
【００５０】
この時、鏡筒噛合いギア１９ｄのピッチ円径を、工具ギア２０ｂのピッチ円径より大きく取り、工具２０のハンドルを十分長くすることにより、矢印ｘ方向の調整を小さな力で精密に行なうことができる。
【００５１】
さらにこの時、図１１に示すように、工具２０の変わりに工具モーター２１を取付け、工具モーターの支点２１ａを工具穴１８ｂに嵌め込み、工具モーターのギア２１ｂと鏡筒噛合いギア１９ｄを噛み合わせる。
【００５２】
不図示の工具モーターコントローラーから工具モーター２１の回転を操作することにより、ｘ方向の偏心調整を電動で行なうことが可能になる。
【００５３】
以上、本発明の好ましい実施例について説明したが、本発明はこれらの実施例に限定されないことはいうまでもなく、その要旨の範囲内で種々の変形及び変更が可能である。
【符号の説明】
【００５４】
Ｏ  光軸
Ｐ  入れ替え軸
４ａ  光学系
６    回転板
６ｂ  工具穴
７ａ  フランジ面
７ｂ  鏡筒回転穴
７ｄ  鏡筒噛合い部
１４  調整工具
【図１】
0005506282.tif 000002
【図２】
0005506282.tif 000003
【図３】
0005506282.tif 000004
【図４】
0005506282.tif 000005
【図５】
0005506282.tif 000006
【図６】
0005506282.tif 000007
【図７】
0005506282.tif 000008
【図８】
0005506282.tif 000009
【図９】
0005506282.tif 000010
【図１０】
0005506282.tif 000011
【図１１】
0005506282.tif 000012